(57)【要約】【課題】取り扱いの容易化を図る。【解決手段】図１のａ図において、人が球払出ユニット９を矢印Ｘ１の方向に引き出し、均しレバー軸６０が拘束鉤部３９を矢印Ｘ１の方向に越えると、図１のｂ図に示すように、拘束鉤部３９が均しレバー軸６０を受け止め、球払出機構４が整列通路１９から左側に離れ、球抜口部６が球払出機構４と整列通路１９との間に開口され、また、球払出ユニット９が図１のａ図に示す位置から図１のｂ図に示す位置へと移動する過程において、規制レバー５３が図１のａ図に示す矢印Ｘ１の方向に移動するのに伴い規制カム５６で下方に押し下げられ、規制レバー５３が規制復帰ばね５５のばね力に抗して規制レバー軸５４を中心として下方に回転し、図１のｂ図に示すように、規制突起５７が整列通路１９と球払出機構４との間に入り、球Ｐが球貯蔵室３から球抜口部６に誘導される。【選択図】図１
2007202974.tif 000002
【特許請求の範囲】
【請求項１】
遊技機枠の裏側に取り付けるための機構基盤と、機構基盤の裏面に定置された球貯蔵室と、球貯蔵室に近づく方向に引き込まれたり球貯蔵室から離れる方向に引き出されたりするように機構基盤の裏面に横方向に移動可能に設けられた球払出機構と、球払出機構を球貯蔵室に近づく方向に引き込むようなばね力を球払出機構に与えるために機構基盤または球貯蔵室と球払出機構とに係留された弾性部材と、弾性部材のばね力に抗し球払出機構が球貯蔵室から離れる方向に引き出されることによって球貯蔵室から球払出機構に供給しないように球を抜くために開口されかつ弾性部材のばね力で球払出機構が球貯蔵室に近づく方向に引き込まれることによって球貯蔵室から球払出機構に球を供給するために塞がれる球抜口部と、球抜口部が形成された位置に弾性部材のばね力に抗して球払出機構を球貯蔵室に近づく方向に引き込まれないように拘束しかつ弾性部材のばね力で球払出機構が球貯蔵室に近づく方向に引き込まれて球抜口部が閉じられるように上記拘束を解除するように操作される拘束機構とを備えたことを特徴とする遊技機の球払出装置。
【請求項２】
弾性部材のばね力に抗し球払出機構が球貯蔵室から離れる方向に引き出されるのに伴い球貯蔵室から球抜口部に球を誘導する姿勢を形成しかつ弾性部材のばね力で球払出機構が球貯蔵室に近づく方向に引き込まれるのに伴い球貯蔵室から球払出機構に球を誘導する姿勢を形成する通過規制機構を備えたことを特徴とする請求項１記載の遊技機の球払出装置。
【発明の詳細な説明】
【技術分野】
【０００１】
本発明は、取り扱いが容易な遊技機の球払出装置に関する。
【背景技術】
【０００２】
遊技機の球払出装置には、次の構造が知られている。遊技機枠の裏側に取り付けられる機構基盤の裏面に球貯蔵室および球払出機構を横方向に並べて配置され、球貯蔵室が機構基盤に定置され、球払出機構が球貯蔵室に近づく方向に引き込まれたり球貯蔵室から離れる方向に引き出されたりするように機構基盤に横方向に移動可能に設けられ、弾性部材が球払出機構を球貯蔵室から離れる方向に引き出すように付勢し、球払出機構が弾性部材のばね力に抗して球貯蔵室に近づく方向に引き込まれた位置において、拘束機構が球払出機構を球貯蔵室から離れる方向に行かないように拘束し、球貯蔵室から球払出機構に供給しないように球を抜くための球抜口部が塞がれる。その状態において、人が拘束機構を操作して拘束機構による球払出機構の拘束を解除すると、球払出機構が弾性部材のばね力で球貯蔵室から離れる方向に引き出す方向に移動し、球貯蔵室と球払出機構との間には球抜口部が開口される。しかしながら、球払出機構が弾性部材のばね力によって球貯蔵室から離れる方向に引き出される構造であるため、遊技機の球払出装置が取り付けられた遊技機枠が産業車両に荷積みされる場合、球貯蔵室が上方で、球払出機構が下方となるように、遊技機枠が横積みされることがあり、遊技機枠が横積みされた場合、球払出機構が拘束機構によって弾性部材のばね力に抗して球貯蔵室に近づく方向に引き込まれた位置に拘束された状態において、振動が遊技機の球払出装置に付与された場合、当該振動によって、拘束機構による球払出機構の拘束が解除され、球払出機構が弾性部材のばね力によって球貯蔵室から離れる方向に引き出されるという欠点がある。
【特許文献１】特開２００５−２２４３５０号公報
【発明の開示】
【発明が解決しようとする課題】
【０００３】
発明が解決しようとする問題点は、振動によって、拘束機構による球払出機構の拘束が解除され、球払出機構が弾性部材のばね力によって球貯蔵室から離れる方向に引き出されるという点である。
【課題を解決するための手段】
【０００４】
本発明に係る遊技機の球払出装置は、遊技機枠の裏側に取り付けるための機構基盤と、機構基盤の裏面に定置された球貯蔵室と、球貯蔵室に近づく方向に引き込まれたり球貯蔵室から離れる方向に引き出されたりするように機構基盤の裏面に横方向に移動可能に設けられた球払出機構と、球払出機構を球貯蔵室に近づく方向に引き込むようなばね力を球払出機構に与えるために機構基盤または球貯蔵室と球払出機構とに係留された弾性部材と、弾性部材のばね力に抗し球払出機構が球貯蔵室から離れる方向に引き出されることによって球貯蔵室から球払出機構に供給しないように球を抜くために形成されかつ弾性部材のばね力で球払出機構が球貯蔵室に近づく方向に引き込まれることによって球貯蔵室から球払出機構に球を供給するために塞がれる球抜口部と、球抜口部が開口された位置に弾性部材のばね力に抗して球払出機構を球貯蔵室に近づく方向に引き込まれないように拘束しかつ弾性部材のばね力で球払出機構が球貯蔵室に近づく方向に引き込まれて球抜口部が閉じられるように上記拘束を解除するように操作し得る拘束機構とを備えたことを最も主要な特徴とする。弾性部材のばね力に抗し球払出機構が球貯蔵室から離れる方向に引き出されるのに伴い球貯蔵室から球抜口部に球を誘導する姿勢を形成しかつ弾性部材のばね力で球払出機構が球貯蔵室に近づく方向に引き込まれるのに伴い球貯蔵室から球払出機構に球を誘導する姿勢を形成する球通過規制機構を備えてもよい。
【発明の効果】
【０００５】
本発明に係る遊技機の球払出装置は、球払出機構が弾性部材のばね力に抗して球貯蔵室から離れる方向に引き出されるのに伴い、球抜口部が開口され、拘束機構が球抜口部の形成された位置に弾性部材のばね力に抗して球払出機構を球貯蔵室に近づく方向に引き込まれないように拘束し、球が球貯蔵室から球払出機構に供給されることなく球抜口部を経由して機外に排出され、その後、拘束機構が拘束を解除するように操作されるのに伴い、球払出機構が弾性部材のばね力によって球貯蔵室に近づく方向に引き込まれ、球抜口部が塞がれ、球が球貯蔵室から球払出機構に供給されるようになるので、球貯蔵室から球を機外に排出するための球抜き操作を人が行う場合、人が球払出機構を球貯蔵室から離れる方向に引き出すだけでよく、球貯蔵室から球を球払出機構に供給されるように復帰操作を人が行う場合、人が球払出機構に対する拘束を解除するように拘束機構を操作するだけでよく、球抜き操作および復帰操作に対する操作が容易であるという利点があるうえ、球払出機構が弾性部材のばね力によって球貯蔵室に近づく方向に引き込まれる構造であるので、球払出機構が弾性部材のばね力によって球貯蔵室に近づく方向に引き込まれた状態において、振動によって、球払出機構が弾性部材のばね力に抗して球貯蔵室から離れる方向に引き出されるような不都合が解消されるという利点がある。弾性部材のばね力に抗し球払出機構が球貯蔵室から離れる方向に引き出されるのに伴い球貯蔵室から球抜口部に球を誘導する姿勢を形成しかつ弾性部材のばね力で球払出機構が球貯蔵室に近づく方向に引き込まれるのに伴い球貯蔵室から球払出機構に球を誘導する姿勢を形成する球通過規制機構を備えれば、球通過規制機構が球を球貯蔵室から球抜口部に適切に誘導するという利点があるうえ、球通過規制機構が球を球貯蔵室から球払出機構に供給されることを妨げないという利点がある。
【発明を実施するための最良の形態】
【０００６】
図１乃至図８は、発明を実施するための最良の形態である。図１のａ図は、球抜口部６の塞がれた球払出装置１の縦断面を示す。図１のｂ図は、球抜口部６の開口された球払出装置１の縦断面を示す。図２は、球払出装置１を分解して示す。図３は、球払出ユニット９を示す。図４は、動力伝達機構６５の平面を示す。図５は、動力伝達機構６５の正面を示す。図６は、球切れ検出機構８３の縦断面を示す。図７は、球払出装置１の外観を示す。図８は球払出装置１の設けられた遊技機枠９１の裏面を示す。本明細書において、「前」、「表」、「後」、「裏」、「左」、「右」、「上」、「下」の方向は、図７の状態に球払出装置１を置いて矢印Ａで示す前側から見た場合に特定される方向である。「前」および「表」は、同じ方向である。「後」および「裏」は、同じ方向である。
【０００７】
図１を参照し、遊技機の球払出装置１の特徴的な構造について説明する。遊技機の球払出装置１は、機構基盤２、球貯蔵室３、球払出機構４、弾性部材５、球抜口部６、拘束機構７、球通過規制機構８を備える。機構基盤２は、球払出装置１を遊技機枠９１（図８参照）の裏側に取り付けるための土台を構成する部材である。球貯蔵室３が右側に位置し、球払出機構４が左側に位置するように、球貯蔵室３および球払出機構４が機構基盤２の裏面に横方向に並べられて配置される。球貯蔵室３は、機構基盤２の裏面に定置されて設けられる。球払出機構４は、球貯蔵室３に近づく方向に引き込まれたり球貯蔵室３から離れる方向に引き出されたりするように機構基盤２の裏面に横方向に移動可能に設けられる。弾性部材５は、機構基盤２と球払出機構４とに係留され、球払出機構４を球貯蔵室３に近づく方向に引き込むようなばね力を球払出機構４に与える。球抜口部６は、弾性部材５のばね力に抗し人力で球払出機構４が球貯蔵室３から離れる方向に引き出されることによって球貯蔵室３から球払出機構４に供給しないように球を抜くために開口し、かつ、弾性部材５のばね力で球払出機構４が球貯蔵室３に近づく方向に引き込まれることによって球貯蔵室３から球払出機構４に球を供給するために塞がれる。拘束機構７は、弾性部材５のばね力に抗して球払出機構４を球貯蔵室３に近づく方向に引き込まれないように、球抜口部６が開口された位置に球払出機構４を拘束しかつ弾性部材５のばね力で球払出機構４が球貯蔵室３に近づく方向に引き込まれて球抜口部６が閉じられるように上記拘束を解除するように操作される。球通過規制機構８は、球払出機構４が球貯蔵室３から離れる方向に引き出されるのに伴い球貯蔵室３から球抜口部６に球を誘導する姿勢を形成し、かつ、球払出機構４が球貯蔵室３に近づく方向に引き込まれるのに伴い球貯蔵室３から球払出機構４に球を誘導する姿勢を形成する。
【０００８】
図１のａ図では、球払出機構４が弾性部材５のばね力によって球貯蔵室３に近づく方向に引き込まれ、球抜口部６が塞がれている。その状態において、球払出機構４が人によって弾性部材５のばね力に抗して球貯蔵室３から矢印Ｘ１で示す左側に離れる方向に引き出される。これに伴い、図１のｂ図に示すように、球抜口部６が開口され、拘束機構７が球抜口部６の形成された位置に弾性部材５のばね力に抗して球払出機構４を球貯蔵室３に近づく方向に引き込まれないように拘束する。このように球払出機構４が球貯蔵室３から左側に離れ、球抜口部６が開口された状態において、球Ｐが球貯蔵室３に存在する場合、球Ｐは矢印Ｘ２で示す経路により球貯蔵室３から球払出機構４に供給されることなく球抜口部６および球抜樋９６を経由して遊技機枠９１の外に排出される。球抜樋９６から遊技機枠９１の外に排出された球は、遊技機を設置する島と呼ばれる図外の遊技機設置構造体における回収機構を経由して補給機構に回収される。つまり、球貯蔵室３から球Ｐを機外に排出するための球抜き操作を人が行う場合、人が球払出機構４を球貯蔵室３から離れる方向に引き出すだけでよいので、球抜き操作が簡単であるという利点がある。上記球払出機構４が球貯蔵室３から離れる方向に引き出されるのに伴い、球通過規制機構８が球貯蔵室３から球抜口部６に球を誘導する姿勢を形成するので、球通過規制機構８が球を球貯蔵室３から球払出機構４に供給されることなく球抜口部６に適切に誘導することができるという利点がある。
【０００９】
図１のｂ図では、拘束機構７が球抜口部６の形成された位置に弾性部材５のばね力に抗して球払出機構４を球貯蔵室３に近づく方向に引き込まれないように拘束している。その状態において、拘束機構７が人によって拘束を解除するように矢印Ｘ３で示す方向に操作されると、球払出機構４が弾性部材５のばね力によって球貯蔵室３に矢印Ｘ４で示す右側に近づく方向に引き込まれる。これに伴い、図１のａ図に示すように、球抜口部６が塞がれる。このように球払出機構４が球貯蔵室３に近づき、球抜口部６が塞がれた状態において、球Ｐが球貯蔵室３に存在する場合、球は矢印Ｘ５で示す経路により球貯蔵室３から球払出機構４を経由して球払出樋９７に供給される。球払出樋９７に供給された球は、遊技者に払い出される球として球払出樋９７から図外の皿構造体における球受皿部に排出される。つまり、球貯蔵室３から球を球払出機構４に供給されるように復帰操作を人が行う場合、人が球払出機構４に対する拘束を解除するように拘束機構７を操作するだけでよいので、復帰操作が簡単であるという利点がある。上記球払出機構４が弾性部材５のばね力によって球貯蔵室３に近づく方向に引き込まれるのに伴い、球通過規制機構８が球貯蔵室３から球払出機構４に球を誘導する姿勢を形成するので、球通過規制機構８が球を球貯蔵室３から球払出機構４に供給されることを妨げないという利点がある。
【００１０】
図２を参照し、機構基盤２、球貯蔵室３、球払出ユニット９の構造について説明する。機構基盤２には、上ガイド部１２、下左ガイド部１３、下右ガイド部１４、取付孔１５が設けられる。上ガイド部１２は、機構基盤２の裏面と、機構基盤２の裏面から裏側に突出した上壁と、上壁の後縁部から下方に突出した裏壁とにより、下方および左側に開口された横長な溝として、機構基盤２の球貯蔵室３よりも左側に突出した部分の上部に設けられる。下左ガイド部１３は、前後方向に貫通した横長な孔として、機構基盤２の球貯蔵室３よりも左側に突出した部分の左下部に設けられる。下右ガイド部１４は、機構基盤２の裏面と、機構基盤２の裏面から裏側に突出した下壁と、下壁の後縁部から上方に突出した裏壁とにより、上方および左側に開口された横長な溝として、機構基盤２の球貯蔵室３よりも左側に突出した部分の右下部に設けられる。取付孔１５は、前後方向への貫通孔として、機構基盤２の周縁部に設けられる。
【００１１】
球貯蔵室３は、遊技機設置構造体における補給機構から供給されるパチンコ球と呼ばれる球を貯蔵する部屋であって、上方に開口した箱形に構成される。球貯蔵室３の球と接触する底面１７は、球を球貯蔵室３の周囲から球出口１８に向けて自重で転がす斜面を形成する。最良の形態の場合、球貯蔵室３の球出口１８が球貯蔵室３の左側に設けられたので、球貯蔵室３の球と接触する底面１７が右側から左側に下り勾配となる斜面として構成される。球貯蔵室３には、整列通路１９が球貯蔵室３から左側に直線的に突出して設けられる。整列通路１９は、球を球貯蔵室３の球出口１８から球払出機構４に向けて自重で転がるように一列となるように整列する通路であって、前側通路と後側通路とに区分される。つまり、球貯蔵室３に貯蔵された球は、球貯蔵室３から整列通路１９の前側通路および後側通路で２列に別れて球払出機構４に供給される。整列通路１９には、拘束取付部２０が整列通路１９の外面から外側に突出するように設けられる。拘束取付部２０は、拘束機構７を取り付ける部分であって、ねじを締結するための上方に開口する窪みを備える。
【００１２】
球払出ユニット９は、球払出機構４の球払出モータ４２がユニット基盤２２の前側に取り付けられる。球払出モータ４２がユニット基盤２２に取り付けられる構造については、図４で説明する。ユニット基盤２２は、球払出ユニット９を機構基盤２の裏側に取り付けるための土台を構成する部材であって、上被ガイド部２３、下左被ガイド部２４、下右被ガイド部２５、球均し逃避孔２６を備える。球払出ユニット９のさらなる構造ついては、図３で説明する。そして、球払出ユニット９は、ユニット基盤２２に、次のように取り付けられる。球払出モータ４２が機構基盤２の側に向けられるように、ユニット基盤２２の前面が機構基盤２の裏面の側に向けられ、上被ガイド部２３が上ガイド部１２に左側から右側に挿入され、下左被ガイド部２４が下左ガイド部１３に左側から右側に挿入され、下右被ガイド部２５が下右ガイド部１４に左側から右側に挿入される。これによって、球払出モータ４２が機構基盤２とユニット基盤２２との間に配置され、球払出機構４が球貯蔵室３に近づく方向に引き込まれたり球貯蔵室３から離れる方向に引き出されたりするように、球払出ユニット９が、上ガイド部１２と下左ガイド部１３と下右ガイド部１４と上被ガイド部２３と下左被ガイド部２４および下右被ガイド部２５からなるガイド機構で案内され、機構基盤２の裏面に横方向に移動可能に設けられる。球均し逃避孔２６は、球均し振子機構１０の回転運動を妨げないように、球均し振子機構１０の一部を逃げるものであって、前後方向への貫通孔として、ユニット基盤２２の右部に設けられる。
【００１３】
拘束機構７は、拘束基盤２８と拘束レバー２９および拘束レバー軸３０を備える。拘束基盤２８は、拘束機構７を機構基盤２または球貯蔵室３に取り付けるための土台を構成する部材であって、操作用孔３１、レバー支持部３２、取付孔３３、退避カム３４、球通過規制機構８の規制カム５６を備える。操作用孔３１は、上下方向への貫通孔として、拘束基盤２８の右部に設けられる。レバー支持部３２は、拘束基盤２８の下面から下方に突出する突起に前後方向への貫通孔を形成した構造として、拘束基盤２８に設けられる。取付孔３３は、上下方向への貫通孔として、拘束基盤２８の周縁部に設けられる。退避カム３４は、図３の均しレバー５９を図２の整列通路１９から上方に退避するように、均しレバー５９を上方に持ち上げるための突起であって、拘束基盤２８の下面から下方に突出するように、拘束基盤２８に設けられる。規制カム５６は、図３の規制レバー５３を球抜口部６の上方から球抜口部６の側に進入するように、規制レバー５３を下方に押し下げるための突起であって、拘束基盤２８の下面から下方に突出するように、拘束基盤２８に設けられる。拘束レバー２９は、レバー基盤３６、解除操作部３７、レバー支持部３８、拘束鉤部３９、弾性片４０を備える。レバー基盤３６は、拘束レバー２９を拘束基盤２８に取り付けるための土台を構成する部材である。解除操作部３７は、レバー基盤３６の上面から上方に突出するように、レバー基盤３６の右部に設けられる。レバー支持部３８は、前後方向への貫通孔として、レバー基盤３６の左部に設けられる。拘束鉤部３９は、レバー基盤３６の左端前部から左下方に突出する支持片の先端から下方に突起を突出した形状である。弾性片４０は、レバー基盤３６の左端後部から左上方に突出する。
【００１４】
そして、拘束レバー２９は、拘束基盤２８に、次のように取り付けられる。拘束基盤２８が上側で、拘束レバー２９が下側となるように、拘束基盤２８の下面および拘束レバー２９の上面が互いに向かい合わされ、解除操作部３７が拘束基盤２８の下側から操作用孔３１に挿入される。その後、拘束レバー軸３０がレバー支持部３２；３８にわたり嵌め込まれる。これに伴い、弾性片４０が拘束基盤２８を持ち上げるように拘束基盤２８の下面に接触し、弾性片４０が拘束レバー２９を左回りに回転するようなばね力を拘束レバー２９に与える。これによって、図１に示すように、拘束レバー２９が拘束基盤２８に取り付けられ、拘束レバー２９の右部が上方に移動し、拘束レバー２９の左部が下方に移動するように、拘束レバー２９が拘束レバー軸３０を中心として左回りに回転し、レバー基盤３６の上面が拘束基盤２８の下面に接触し、解除操作部３７の上部が拘束基盤２８の下側から操作用孔３１を上方に貫通して拘束基盤２８の上面よりも上方に突出し、拘束鉤部３９が拘束基盤２８の下面よりも下方に離れる。その状態において、解除操作部３７が人力で押し下げられると、拘束レバー２９が拘束レバー軸３０を中心として右回りに回転し、弾性片４０が撓んで復元弾性を蓄積し、拘束鉤部３９が拘束基盤２８の下面の側に移動する。図２において、拘束機構７は、機構基盤２または球貯蔵室３に、次のように取り付けられる。拘束レバー２９が球貯蔵室３の側に向けられ、拘束基盤２８が整列通路１９の上に被せられ、タッピングスクリューのような止ねじ４１が拘束基盤２８の上方から取付孔３３を経由して拘束取付部２０に締結される。これによって、拘束機構７が機構基盤２または球貯蔵室３に取り付けられる（図１、図７参照）。
【００１５】
図３を参照し、球払出ユニット９の構造について説明する。球払出ユニット９は、球払出機構４と球通過規制機構８および球均し振子機構１０がユニット基盤２２に取り付けられた構造であって、球払出構造体とも概念できる。球払出機構４の球払出筐体４３が、ユニット基盤２２から裏側に突出するように、ユニット基盤２２の裏面に固定される。ユニット基盤２２の右部には、弾性部材５の一端部が係留される。球払出筐体４３には、球抜口部６、球払出通路４４、球払出回転盤４５、駆動軸４６、払出球検出器４７が設けられる。球抜口部６は、球払出筐体４３から右側に突出するように、球払出筐体４３に設けられ、上方から下に球を通過するための貫通孔を備える。球払出通路４４は、球を一方向に１列に誘導するものであって、球払出筐体４３の内部に２列に並列に形成される。２つの球払出回転盤４５および２つの払出球検出器４７は、２列の球払出通路４４に個別に配置される。２つの球払出回転盤４５は、駆動軸４６で一緒に同じ方向に回転するように球払出筐体４３に支持される。球払出回転盤４５は、駆動軸４６と一緒に回転するように、駆動軸４６に固定される。駆動軸４６は、球払出筐体４３に回転可能に支持される。駆動軸４６が球払出筐体４３の前側に取り付けられたステップモータからなる球払出モータ４２のモータ軸のような出力軸４８に連結される。そして、２つの球払出回転盤４５が球払出モータ４２で矢印Ｗ１で示す右回りに回転駆動すると、２つの球払出回転盤４５が２列の球払出通路４４における球を１個ずつ分離しつつ１列ずつで２列に払い出し、この２列の球払出通路４４における球が２つの払出球検出器４７を個別に通過するごとに、２つの払出球検出器４７が球を個別に電気的に検出して払出球検出信号を図外の制御装置に出力する。
【００１６】
２つの球払出回転盤４５は、球を１個ずつ分離するように取り込むための球取込部が、球払出回転盤４５の周面から駆動軸４６の方向である内部に窪む凹部として設けられた、スプロケットのような形状である。一方の球払出回転盤４５における球取込部および他方の球払出回転盤４５における球取込部は、球払出回転盤４５の回転方向に位置がずれている。よって、一方の球払出回転盤４５が球を一方の払出球検出器４７に向けて排出する時期と他方の球払出回転盤４５が球を他方に払出球検出器４７に向けて排出する時期とは、同じ時期とはならず、異なる時期となる。したがって、一方の払出球検出器４７を通過して一方の球払出通路４４で球払出筐体４３から排出される１列の球と、他方の払出球検出器４７を通過して他方の球払出通路４４で球払出筐体４３から排出される１列の球とは、球払出筐体４３から互い違いに排出される。駆動軸４６における逆転操作部４９よりも裏側に突出した部分には、逆転操作部４９が設けられる。逆転操作部４９および駆動軸４６の間には、図外のワンウエイクラッチが設けられる。そして、駆動軸４６が出力軸４８に連結された状態において、逆転操作部４９が人によって矢印Ｗ１で示す右回りに操作された場合、ワンウエイクラッチが逆転操作部４９から操作力を駆動軸４６に伝達せず、逆転操作部４９が駆動軸４６に対し矢印Ｗ１で示す右回りに空転し、逆転操作部４９が人によって矢印Ｗ２で示す左回りに操作された場合、ワンウエイクラッチが逆転操作部４９から操作力を駆動軸４６に伝達し、逆転操作部４９が駆動軸４６を矢印Ｗ２で示す左回りに回転する。ユニット基盤２２には、通路カバー５０が固定される。通路カバー５０は、図２の整列通路１９から上方に球を溢れ出ないようにするとともに、整列通路１９から球抜口部６に球を誘導するものである。通路カバー５０の上部には、規制レバー逃避孔５１が上下方向への貫通孔として、前後に分かれて２個設けられる。
【００１７】
球通過規制機構８は、規制レバー５３、規制レバー軸５４、規制復帰ばね５５、規制カム５６（図２参照）を備える。規制レバー５３は、ユニット基盤２２から裏側に突出しかつ規制レバー軸５４を中心として回転し得るように、ユニット基盤２２の裏面に回転可能に取り付けられる。規制レバー５３の左端部には、２つの規制突起５７が規制レバー５３の左端部から下方に突出し、前後に分かれて設けられる。規制復帰ばね５５は、コイルばねにより構成される。規制復帰ばね５５の一端部が規制レバー５３に係留され、規制復帰ばね５５の他端部が球均し振子機構１０の均しレバー軸６０に係留される。これによって、規制復帰ばね５５は、規制突起５７が規制レバー逃避孔５１から上方に退避するように、規制レバー５３に規制レバー軸５４を中心として持ち上げる方向のばね力を付与する。
【００１８】
球均し振子機構１０は、均しレバー５９、均しレバー軸６０、均し回転盤６１、均し軸６２、退避カムフォロア６３を備える。均しレバー５９は、ユニット基盤２２から裏側に突出しかつ均しレバー軸６０を中心として回転し得るように、球通過規制機構８よりも右側に位置するように、ユニット基盤２２の裏面に回転可能に取り付けられる。均しレバー軸６０は、ユニット基盤２２に回転しないように支持される。均しレバー５９の上部が均しレバー軸６０に回転可能に嵌め込まれる。均しレバー５９の下端部には、２つの均し回転盤６１が均し軸６２で回転可能に取り付けられる。均し回転盤６１は、均し軸６２と一緒に回転するように、均し軸６２に固定される。均し軸６２における２つの均し回転盤６１よりも前後に突出した部分が、均しレバー５９の下端部に回転可能に支持される。退避カムフォロア６３は、均しレバー５９の均しレバー軸６０よりも上方に突出した上端部から左側に突出する。
【００１９】
図４および図５を参照し、動力伝達機構６５の構造について説明する。動力伝達機構６５は、球払出モータ４２の動力を球払出機構４の駆動軸４６および球均し振子機構１０の均し軸６２に伝達するものである。図４に示すように、ユニット基盤２２には、支柱６６がユニット基盤２２の前面から前側に突出する。支柱６６には、モータ取付基盤６７が、タッピングスクリューのような止ねじ６８によって、前側から取り付けられる。これによって、モータ取付基盤６７は、ユニット基盤２２の前面から前側に平行に離れてユニット基盤２２に取り付けられる。モータ取付基盤６７には、球払出モータ４２のボディが、タッピングスクリューのような止ねじ６９によって、前側から取り付けられる。球払出モータ４２の出力軸４８は、モータ取付基盤６７の前側からモータ取付基盤６７に形成された図外の貫通孔を経由してモータ取付基盤６７の裏側に突出する。ユニット基盤２２およびモータ取付基盤６７の間の空間には、均しレバー軸６０、均し回転盤６１、均し軸６２、駆動歯車７０、球払出歯車７１、球払出歯車軸７２、第１中間歯車７３、第１ベルト歯車７４、第１中間軸７５、第２中間歯車７６、第２ベルト歯車７７、歯付ベルト７８、第２中間軸７９、第３中間歯車８０、均し歯車８１が配置される。均しレバー軸６０、球払出歯車軸７２、第１中間歯車７３は、ユニット基盤２２およびモータ取付基盤６７の双方で支持される。
【００２０】
図５に示すように、駆動歯車７０は、出力軸４８を中心として回転するように、出力軸４８に固定される。球払出歯車７１は、球払出歯車軸７２を中心として回転するように、球払出歯車軸７２に固定され、駆動歯車７０に噛み合わされる。第１中間歯車７３および第１ベルト歯車７４は、互いに同軸状に結合され、第１中間軸７５を中心として回転するように、第１中間軸７５に回転可能に取り付けられる。第１中間歯車７３は、駆動歯車７０に噛み合わされる。第２中間歯車７６および第２ベルト歯車７７は、互いに同軸状に結合され、均しレバー軸６０を中心として回転するように、均しレバー軸６０に回転可能に支持される。歯付ベルト７８は、第１ベルト歯車７４および第２ベルト歯車７７に掛け渡される。第３中間歯車８０は、第２中間軸７９を中心として回転するように、第２中間軸７９に支持され、第２中間歯車７６に噛み合わされる。均し歯車８１は、均し軸６２を中心として回転するように、均し軸６２に固定され、第３中間歯車８０に噛み合わされる。よって、出力軸４８および駆動歯車７０が矢印Ｗ３で示す方向に回転駆動された場合、球払出歯車７１と均し歯車８１および均し回転盤６１が矢印Ｗ１で示す方向に回転する。出力軸４８および駆動歯車７０が矢印Ｗ４で示す方向（矢印Ｗ３で示す方向の逆方向）に回転駆動された場合、または、逆転操作部４９が矢印Ｗ２で示す方向に回転操作された場合、球払出歯車７１と均し歯車８１および均し回転盤６１が矢印Ｗ２で示す方向に回転する。
【００２１】
図６を参照し、球切れ検出機構８３の構造について説明する。球切れ検出機構８３は、球貯蔵室３に球が存在するか否かを検出するものであって、感知用孔８４、機構取付部８５、球切れ感知レバー８６、感知レバー軸８７、球切れ検出器８８を備える。感知用孔８４は、球貯蔵室３における球出口１８（図２参照）の近傍に位置するように、上下方向への貫通孔として、球貯蔵室３の底面１７を有する底壁に設けられる。機構取付部８５は、感知用孔８４の近傍に位置するように、球貯蔵室３から下方に突出するように、球貯蔵室３の底面１７を有する底壁に設けられる。球切れ感知レバー８６は、感知レバー軸８７で機構取付部８５に回転可能に取り付けられる。球切れ検出器８８は、球切れ感知レバー８６よりも下方に位置するように、機構取付部８５に固定される。球切れ検出器８８のスイッチレバー８９は、球切れ検出器８８に内蔵されたばね力によって、球切れ検出器８８から上方に突出し、球切れ感知レバー８６を持ち上げる。よって、図６のａ図に示すように、球貯蔵室３における球が球切れ感知レバー８６の上に存在しない場合、スイッチレバー８９で持ち上げられた球切れ感知レバー８６が感知レバー軸８７を中心として上方に回転し、球切れ感知レバー８６の下流側端部が球貯蔵室３の底面１７よりも上方に突出し、球切れ検出器８８が球無しとしての球切れ信号を制御装置９４（図８参照）に出力する。図６のｂ図に示すように、球貯蔵室３における球が球切れ感知レバー８６の上に存在し、球切れ感知レバー８６が当該球の重さによってスイッチレバー８９による持ち上げ力に抗し感知レバー軸８７を中心として下方に回転し、球切れ感知レバー８６の下流側端部が球貯蔵室３の底面１７と平行になるように底面１７の側に退避すると、球切れ感知レバー８６がスイッチレバー８９を押し下げ、球切れ検出器８８が球有りとしての球有り信号を制御装置９４に出力する。
【００２２】
図７を参照し、遊技機の球払出装置１の外観について説明する。遊技機の球払出装置１は、球払出機構４と弾性部材５と球抜口部６と拘束機構７と球通過規制機構８および球均し振子機構１０を備えた球払出ユニット９が、機構基盤２における球貯蔵室３よりも左側に突出した部分に横移動可能に取り付けられた構造である。機構基盤２における球貯蔵室３よりも下部に突出した部分には、中継基盤９０が設けられる。中継基盤９０には、球払出装置１の電気部品からの配線を集約するコネクタが設けられる。球払出装置１の電気部品は、図３に示す球払出モータ４２や払出球検出器４７、図６に示す球切れ検出器８８などである。
【００２３】
図８を参照し、遊技機の球払出装置１が取り付けられたパチンコ遊技機の遊技機枠９１の裏側の構造について説明する。遊技機枠９１は、固定枠９２の前側に可動枠９３を開閉可能に備え、可動枠９３の前側に図外の前扉および図外の皿構造体を開閉可能に備える。固定枠９２は、遊技機設置構造体に取り付けるための外枠とも呼ばれる。可動枠９３は、図外の遊技盤、球払出装置１、制御装置９４、球発射機構９５、球抜樋９６、球払出樋９７など遊技に必要な部品を取り付ける前枠とも呼ばれる。可動枠９３は、左側に位置する図外ヒンジを中心とし、固定枠９２の前側で前側に開かれかつ後側に閉じられるように、片開き可能である。固定枠９２には、開口部９８が前後方向への貫通孔として設けられる。開口部９８は、遊技盤の裏面に取り付けられた部品を逃げるためのものである。制御装置９４は、中継基盤９０や球発射機構９５の球発射駆動源に図外の配線で接続される。
【００２４】
図１を参照し、最良の形態の動作を詳述する。図１のａ図において、人が球払出ユニット９を矢印Ｘ１の方向に引き出すと、弾性部材５が矢印Ｘ１の方向に伸びて復元力を蓄え、均しレバー軸６０が矢印Ｘ１の方向に移動しつつ弾性片４０の弾性に抗して拘束鉤部３９を上方に持ち上げられる。その後、均しレバー軸６０が拘束鉤部３９を矢印Ｘ１の方向に越えると、図１のｂ図に示すように、拘束鉤部３９が弾性片４０の弾性によって下降して均しレバー軸６０と横方向で対向する。これによって、球払出ユニット９が弾性部材５の復元力によって矢印Ｘ４の方向に移動しないように、拘束鉤部３９が均しレバー軸６０を受け止め、球払出機構４が整列通路１９から左側に離れ、球抜口部６が球払出機構４と整列通路１９との間に開口される。このため、人が球払出機構４を球貯蔵室３から離れる方向に引き出すだけでよいので、球抜き操作が簡単であるという利点がある。また、球払出ユニット９が図１のａ図に示す位置から図１のｂ図に示す位置へと移動する過程において、規制レバー５３が図１のａ図に示す矢印Ｘ１の方向に移動するのに伴い規制カム５６で下方に押し下げられ、規制レバー５３が規制復帰ばね５５のばね力に抗して規制レバー軸５４を中心として下方に回転する。これによって、図１のｂ図に示すように、規制突起５７が整列通路１９と球払出機構４との間に入って球貯蔵室３から球抜口部６に球Ｐを誘導する姿勢を形成する。これによって、球Ｐが球貯蔵室３から球払出機構４に供給されることなく球抜口部６に適切に誘導されるという利点がある。さらに、球払出ユニット９が図１のａ図に示す位置から図１のｂ図に示す位置へと移動する過程において、均しレバー軸６０が図１のａ図に示す矢印Ｘ１の方向に移動するのに伴い、図２に示す退避カム３４が図３に示す退避カムフォロア６３を図１のｂ図に示す矢印Ｘ４の方向に押し、均しレバー５９が図１のｂ図に示すように均しレバー軸６０を中心として持ち上がって整列通路１９よりも上方に退避する。これによって、球均し振子機構１０が整列通路１９を球貯蔵室３から球抜口部６の側に転がりながら流下する球Ｐに接触することがなく、球Ｐが球貯蔵室３から球抜口部６へと円滑に流れるという利点がある。
【００２５】
図１のｂ図において、人が弾性片４０の弾性に抗して解除操作部３７を押し下げると、拘束鉤部３９が均しレバー軸６０よりも上方に移動し、拘束鉤部３９による均しレバー軸６０の受け止めが解除され、弾性部材５が矢印Ｘ４の方向に縮む。この弾性部材５による縮む場合の復元力によって、球払出ユニット９が矢印Ｘ４の方向に移動し、規制カム５６による規制レバー５３の押し下げが解除され、規制レバー５３が規制復帰ばね５５のばね力で規制レバー軸５４を中心として上方に回転する。これによって、図１のａ図に示すように、規制突起５７が整列通路１９と球払出機構４との間から上方に退避して球貯蔵室３から球払出機構４に球Ｐを誘導する姿勢を形成し、球払出機構４が整列通路１９の側に移動し、球払出機構４および整列通路１９が互いに繋がり、球抜口部６が塞がれる。このため、人が解除操作部３７を押し下げるだけでよいので、球抜き形態から球払出機構４による球払出形態への復帰操作が簡単であるという利点がある。
【産業上の利用可能性】
【００２６】
弾性部材５は、圧縮ばねにより構成してもよい。規制復帰ばね５５の他端部は、ユニット基盤２２に係留してもよい。規制復帰ばね５５は、渦巻きばねにより構成してもよい。
拘束レバー２９から弾性片４０を除去し、拘束レバー２９と別体のばねによって、拘束レバー２９の拘束鉤部３９が拘束レバー軸３０を中心として下方に付勢されるようにしてもよい。
【図面の簡単な説明】
【００２７】
【図１】ａ図は球抜口部の塞がれた球払出装置の縦断面図、ｂ図は球抜口部の開口された球払出装置の縦断面図（最良の形態）。
【図２】球払出装置の分解斜視図（最良の形態）。
【図３】球払出ユニットの斜視図（最良の形態）。
【図４】動力伝達機構の平面図（最良の形態）。
【図５】動力伝達機構の正面図（最良の形態）。
【図６】球切れ検出機構の縦断面図（最良の形態）。
【図７】球払出装置の斜視図（最良の形態）。
【図８】球払出装置の設けられた遊技機枠の裏面図（最良の形態）。
【符号の説明】
【００２８】
１  球払出装置
２  機構基盤
３  球貯蔵室
４  球払出機構
５  弾性部材
６  球抜口部
７  拘束機構
８  球通過規制機構
９  球払出ユニット
【図１】
2007202974.tif 000003
【図２】
2007202974.tif 000004
【図３】
2007202974.tif 000005
【図４】
2007202974.tif 000006
【図５】
2007202974.tif 000007
【図６】
2007202974.tif 000008
【図７】
2007202974.tif 000009
【図８】
2007202974.tif 000010